(57)【要約】【課題】  温室に、定温度かつ定流量の水を長時間連続的に供給しうる簡易な灌水装置を提供することを目的とする。【解決手段】  原水が取水配管２０で供給され、灌水装置１の入口に設けた定流量弁２１に接続される。前記定流量弁２１の下流に設けられた分配継手２３により、ガス給湯器４又は冷水装置５への給水配管２７２及びバイパス配管２７１に分岐される。前記バイパス配管２７１には、前記定流量弁２１の流量より少ない流量の定流量弁２２を設け、原水は前記バイパス配管２７１を介して、放水配管２８及び灌水配管２９に接続される。分配継手２３で分岐された他方の原水は、ガス給湯器４又は冷水装置５を介して、前記バイパス配管２７１を介した原水と合流し、放水配管２８又は灌水配管２９に導かれる。【選択図】  図１
2008148664.tif 000002
【特許請求の範囲】
【請求項１】
取水配管に定流量弁を設けるとともに、前記取水配管の下流に設けた分配継手により、ガス給湯器又は冷水装置への給水配管及びバイパス配管に分岐され、前記バイパス配管に灌水温度から確定される前記定流量弁の流量より少ない流量の定流量弁を設けることを特徴とする灌水装置。
【発明の詳細な説明】
【技術分野】
【０００１】
本発明は、温室等での使用に好適な灌水装置に関するものである。
【背景技術】
【０００２】
温室等における灌水は、地下（井戸）水、上水、農業用水からの取水が一般的である。しかし、季節、天候等により水温が安定していないため、灌水による地温への影響が懸念され、灌水の時間帯を配慮せざるを得ない。
【０００３】
そこで、農産物の生育促進と収穫量の増大を図るため、貯水槽の水を電気温水器により所定温度に加温して、灌水するシステムが提案されている（例えば、特許文献１参照）。
【０００４】
しかし、当該システムはバッチ式のため、長時間の連続使用には限度がある。これを解決するため、連続的に灌水可能な装置が提案されている（例えば、特許文献２参照）。
【０００５】
【特許文献１】特開平５−３１６８８８号
【特許文献２】特開平８−１４０５０５号
【発明の開示】
【発明が解決しようとする課題】
【０００６】
以上に述べた従来の装置にあっては、ボイラで製造される温水の流量を制御し、原水とミキサで混合することで所定温度の灌水を得る方式が用いられている。この方式では、灌水流量が変化し易く、また、制御の複雑化と設備の大型化による設備コストの増大などの問題がある。
【０００７】
灌水作業においては、灌水温度の安定性もさることながら、灌水ムラを避けるために、流量を一定にすることが重要である。
【０００８】
また、設備導入に際しては、直接的費用の軽減は当然のことながら、複雑な制御システムを避け、故障や不具合の少ない機器を採用することにより総合的なコストダウンが求められる。
【０００９】
本発明は、かかる従来技術の問題点に鑑みてなされたもので、定温度かつ定流量の水を、長時間連続的に供給しうる簡易な灌水装置を提供することを目的とする。
【課題を解決するための手段】
【００１０】
上記の目的を達成するために、請求項１に記載の発明は、灌水装置であって、取水配管に定流量弁を設けるとともに、前記取水配管の下流に設けた分配継手により、ガス給湯器又は冷水装置への給水配管及びバイパス配管に分岐され、前記バイパス配管に灌水温度から確定される前記定流量弁の流量より少ない流量の定流量弁を設けることを特徴とする。
【発明の効果】
【００１１】
請求項１に記載の発明によれば、簡易な装置により、定温度かつ定流量の温水又は冷水を、長時間連続的に供給することが可能となる。
【発明を実施するための最良の形態】
【００１２】
以下、本発明の実施の形態について、図面を参照して詳細に説明する。
【００１３】
図１は灌水装置の構成である。水源より原水が取水配管２０で供給され、灌水装置１の入口に設けた定流量弁２１に接続される。定流量弁２１を通過する流量は、水源の圧力変動の影響を受けることなく一定に制限される。前記定流量弁２１の下流に設けられた分配継手２３により、ガス給湯器４又は冷水装置５への給水配管２７２及びバイパス配管２７１に分岐される。前記バイパス配管２７１には、前記定流量弁２１の流量より少ない流量の定流量弁２２を設け、原水は前記バイパス配管２７１を介して、放水配管２８及び灌水配管２９に接続される。定流量弁２２の流量は、灌水量、灌水温度、ガス給湯器４又は冷水装置５の能力により算出される量にて設定される。分配継手２３で分岐された他方の原水は、給水配管２７２でガス給湯器４又は冷水装置５に供給され、前記バイパス配管２７１を介した原水と合流し、合流後の水温が温度センサー２６にて温度計測され、放水配管２８又は灌水配管２９に導かれる。
【実施例１】
【００１４】
灌水装置１を温水灌水装置として用いた場合の運転操作手順を説明する。灌水装置１は、通常、水源と同圧の配管圧力で待機状態となっており、装置制御部３のタイムスィッチ３１が設定時刻となった時点で運転状態となる。その際、温度センサー２６で計測される温度が、電子温度調節器３０で設定された灌水温度未満の時、電磁弁２５が開となり、図２に示す温室９の外部に放出される。同時に、ガス給湯器４が流量を検知し、自動的に着火、燃焼して、原水が加温され、設定温度以上になった段階で、電磁弁２５が閉となり、ソリッドステートタイマ３２に連動する電磁弁９１が開き、温水灌水が開始される。その後、他のソリッドステートタイマ３２の設定時間に応じ、他の電磁弁９１が順次開となり温水灌水される。なお、前記ソリッドステートタイマ３２と前記電磁弁９１の組み合わせ数は、灌水時間と灌水面積により任意に設定可能である。また、配管閉塞等により温水温度が上昇し、電子温度調節器３０で設定された温度以上になった場合には、開状態の電磁弁９１を閉止し、灌水を停止する。
【００１５】
灌水装置が運転され、温室に温水灌水されていて、液肥ポンプ７用のタイムスィッチ３１の設定が運転時刻となった場合、チューブポンプ等の液肥ポンプ７により、加圧注入で液肥を自動的に施用することが可能である。添加量は、灌水時間、液肥希釈倍率、ポンプの供給速度及び台数により任意に設定可能である。
【００１６】
また、灌水装置と同様の操作で、ガス給湯器４の出口温度を７５度に設定し、必要な場合にあっては、通常全開となっている流量調整弁２４の開度調整により、希望の高温水を得ることが出来、土壌消毒用の高温水灌水として使用可能である。
【００１７】
温水灌水用にガス給湯器４が運転される時、発生する燃焼排気ガスを排気筒により温室９内に導入し、灌水装置上部に設置した送風ファン６を用いて、温室９内の雰囲気ガスを混合循環させる。このことにより、燃焼排気ガス中の炭酸ガスを植物の光合成の原料として用いることが可能である。また同時に、燃焼排気ガスの顕熱を補助暖房熱として有効利用することができる。
【００１８】
さらに、灌水装置１を、日の出時刻を参考として自動運転させることで、植物の光合成が始まる段階には、水分、炭酸ガス、肥料、温度など諸条件を揃えることが可能であり、最適な光合成を誘導することができ、成長促進、収穫量の増大を図れる。
【実施例２】
【００１９】
灌水装置１を冷水灌水に用いる場合について説明する。図１に示した複数の仕切弁８の開閉切替により、冷水装置５を用いて、目標の温度にて温室９に冷水灌水が可能である。
【００２０】
冷水を供給する場合の運転操作手順について説明する。
灌水装置１は、通常、水源と同圧の配管圧力で待機状態となっており、装置制御部３のタイムスィッチ３１が設定時刻となった時点で運転状態となる。その際、温度センサー２６で計測される温度が電子温度調節器３０で設定された灌水温度以上の時、電磁弁２５が開となり、図２示す温室９の外部に放出される。同時に冷水装置５が連続運転され、設定温度未満になった段階で電磁弁２５が閉となり、ソリッドステートタイマ３２に連動する電磁弁９１が開、冷水灌水が開始される。その後、他のソリッドステートタイマ３２の設定時間に応じ、他の電磁弁９１が順次開となり冷水灌水される。なお、前記ソリッドステートタイマ３２と前記電磁弁９１の組み合わせ数は、灌水時間と灌水面積により任意に設定可能である。また、配管閉塞等により冷水温度が下降し、電子温度調節器３０で設定された温度以下になった場合、その時点で開となっている電磁弁を閉止し、灌水を停止する。
【００２１】
灌水装置１が運転され、温室に冷水灌水されていて、液肥ポンプ用タイムスィッチ３１の設定が運転時刻となった場合、チューブポンプ等の液肥ポンプ７により加圧注入で、液肥を自動的に施用することが可能である。その添加量等は、灌水時間、液肥希釈倍率、ポンプの供給速度及び台数等により任意に設定可能である。
【図面の簡単な説明】
【００２２】
【図１】灌水装置の主要な構造図である。
【図２】温室の配管構成図である。
【符号の説明】
【００２３】
１      灌水装置
２      装置配管部
２０    取水配管
２１    定流量弁
２２    定流量弁
２３    分配継手
２４    流量調整弁
２５    電磁弁
２６    温度センサー
２７１  バイパス配管
２７２  給水配管
２８    放水配管
２９    灌水配管
３      装置制御部
３０    電子温度調節器
３１    タイムスィッチ
３２    ソリッドステートタイマ
４      ガス給湯器
５      冷水装置
６      送風ファン
７      液肥ポンプ
７１    液肥タンク
８      仕切弁
９      温室
９１    電磁弁
【図１】
2008148664.tif 000003
【図２】
2008148664.tif 000004